(57)【特許請求の範囲】
【請求項１】
略直方体をなす誘電体ブロックの内部に、該誘電体ブロックの互いに平行に対向する二面に垂直で且つ該二面を貫通する、それぞれの内面に内導体を形成した３本以上の共振器孔を設け、前記誘電体ブロックの外面に外導体を設け、前記共振器孔の一方の開口面または開口面付近に前記内導体の開放端を設け、他方の開口面を短絡端として、複数のλ／４共振器を構成し、
該複数のλ／４共振器のうち、所定のλ／４共振器にそれぞれ結合する入力電極、出力電極、共用電極を、前記誘電体ブロックの外面に形成し、
前記入力電極と前記共用電極と前記複数のλ／４共振器のうちの所定のλ／４共振器とからなる送信側フィルタと、前記出力電極と前記共用電極と前記複数のλ／４共振器のうちの所定のλ／４共振器とからなる受信側フィルタとを構成した誘電体デュプレクサにおいて、
内面に短絡導体を有し、前記複数のλ／４共振器のうち少なくとも一つのλ／４共振器の共振器孔の所定位置で前記短絡導体により前記内導体を前記外導体に短絡させる短絡用孔を備えるとともに、当該短絡用孔を前記誘電体ブロックの前記複数の共振器孔の配列方向に平行で且つ前記二面に対して垂直な面から前記共振器孔にまで達するように設け、
前記短絡導体により内導体が短絡された前記λ／４共振器の共振周波数を前記内導体の短絡により高周波数側にシフトさせてなる誘電体デュプレクサ。
【請求項２】
前記短絡導体は、前記送信側フィルタまたは前記受信側フィルタのうち、通過帯域の周波数が高いフィルタ側の共振器にのみ形成されている請求項１に記載の誘電体デュプレクサ。
【請求項３】
前記短絡用孔の内径は、前記共振器孔の内径と略同じである請求項１または２に記載の誘電体デュプレクサ。
【請求項４】
請求項１〜３のいずれかに記載の誘電体デュプレクサを備えた通信装置。
【発明の詳細な説明】
【０００１】
【発明の属する技術分野】
この発明は、携帯電話等の通信装置に搭載される誘電体デュプレクサに関するものである。
【０００２】
【従来の技術】
通常、携帯電話等の通信システムでは、送信信号と受信信号の周波数帯域が異なる。このため、送信側回路に設けられている送信側フィルタの通過周波数帯域と受信側回路に設けられている受信側フィルタの通過周波数帯域とを異ならせなければならない。すなわち、送信側フィルタと受信側フィルタの通過周波数帯域を異ならせるために、送信側フィルタと受信側フィルタとを、互いに異なった構造とする必要があった。
【０００３】
従来、単体の誘電体ブロックに送信側フィルタと受信側フィルタとを形成した、一体型の誘電体デュプレクサでは、単体の誘電体ブロックにおいて、前述のように送信側フィルタと受信側フィルタとの構造を異ならせていた。このような構造の誘電体デュプレクサが、▲１▼特開平７−２８３６０７、▲２▼特開平１０−２５６８０７、▲３▼特開平７−２８３６０６等に開示されている。
【０００４】
▲１▼、▲２▼、▲３▼の各発明では、送信側フィルタの通過周波数帯域を、受信側フィルタの通過周波数帯域より低くするために、それぞれ、次に示す構造をとっている。
【０００５】
▲１▼の発明では、オープン面に形成された結合電極の形状を変え、一部の結合電極面積を大きくし、且つ、隣り合う結合電極間を近接して形成している。これにより、結合容量を増加させて、各共振器の共振周波数を低くしている。
【０００６】
また、▲２▼の発明では、各共振器の開放端側と短絡端側とで共振器孔の内径を異ならせ、インピーダンスの異なるステップ共振器構造として、送信側フィルタを構成する共振器と受信側フィルタを構成する共振器のステップ比を異ならせている。これにより、共振周波数を異ならせ、送信側フィルタを構成する各共振器の共振周波数を低くしている。
【０００７】
また、▲３▼の発明では、誘電体ブロックを矩形状ではなく、受信側フィルタを構成する部分のみ、共振器の軸方向の長さを短くする構造を用いている。これにより、受信側フィルタを構成する各共振器の軸長を短くし、共振周波数を高くしている。すなわち、送信側フィルタを構成する各共振器の共振周波数を相対的に低くしている。
【０００８】
【発明が解決しようとする課題】
このような従来の誘電体デュプレクサには、次に示す解決すべき課題が存在した。
【０００９】
▲１▼の発明のように、共振器のオープン面に結合電極を形成した構造においては、誘電体デュプレクサが小型化することにより、結合電極の面積の上限も小さくなり、設定できる結合容量の範囲が狭くなる。よって、必要な結合容量が得られず、所望の共振周波数を得ることが出来ない可能性がある。
【００１０】
また、大きな結合容量を得るために、結合電極間のギャップを狭くしなければならないが、誘電体ブロックが小型化することにより、ギャップが更に狭くなる。よって、誘電体ブロック外面に高精度のパターンを形成しなければならず、コストアップとなってしまう。
【００１１】
また、▲２▼の発明のように、共振器孔をステップ構造としたものでは、ステップ比を大きくすると、短絡面側の内径が小さくなり、誘電体デュプレクサの外形を小さくした場合に、共振器孔の成形の難易度が高くなってしまう。また、成形できる孔径には、最小限度があるため、必要なステップ比を得られない可能性がある。また、共振器のＱｏは誘電体ブロックの厚み方向（共振器孔の軸方向と共振器孔の配列方向の両方に垂直な方向）に対して、図１１に示すように最適な共振器孔の内径が存在する。しかし、所定の共振周波数を得るためには、共振器孔の内径を小さくしなければならず、最適な内径から外して成形することとなり、特性が劣化してしまう。
【００１２】
また、▲３▼の発明のように、送信側フィルタと受信側フィルタのそれぞれを構成する共振器孔の軸長を異ならせるように、誘電体ブロックを成形する構造では、誘電体ブロックの外形形状が複雑になるため、金型等を新たに作製する等の成形初期費用が必要となり、コストアップとなる。
【００１３】
この発明の目的は、上述の各種問題を解消して、送信側フィルタを構成する共振器と受信側フィルタを構成する共振器のそれぞれの共振周波数を、容易に異ならせることが出来る、簡素な構造の誘電体デュプレクサと、これを備えた通信装置を構成することにある。
【００１４】
【課題を解決するための手段】
この発明は、略直方体をなす誘電体ブロックの内部に、該誘電体ブロックの互いに平行に対向する二面に垂直で且つ該二面を貫通する、それぞれの内面に内導体を形成した３本以上の共振器孔を設け、前記誘電体ブロックの外面に外導体を設け、前記共振器孔の一方の開口面または開口面付近に前記内導体の開放端を設け、他方の開口面を短絡端として、複数のλ／４共振器を構成し、該複数のλ／４共振器のうち、所定のλ／４共振器にそれぞれ結合する入力電極、出力電極、共用電極を、前記誘電体ブロックの外面に形成し、前記入力電極と前記共用電極と前記複数のλ／４共振器のうちの所定のλ／４共振器とからなる送信側フィルタと、前記出力電極と前記共用電極と前記複数のλ／４共振器のうちの所定のλ／４共振器とからなる受信側フィルタとを構成した誘電体デュプレクサにおいて、内面に短絡導体を有し、前記複数のλ／４共振器のうち少なくとも一つのλ／４共振器の共振器孔の所定位置で前記短絡導体により前記内導体を前記外導体に短絡させる短絡用孔を備えるとともに、当該短絡用孔を前記誘電体ブロックの前記複数の共振器孔の配列方向に平行で且つ前記二面に対して垂直な面から前記共振器孔にまで達するように設け、前記短絡導体により内導体が短絡された前記λ／４共振器の共振周波数を前記内導体の短絡により高周波数側にシフトさせたものである。
【００１５】
また、この発明は、通過帯域の周波数の高い側のフィルタのみ短絡導体を形成することより、簡素な構造の誘電体デュプレクサを構成する。
【００１７】
また、この発明は、短絡用孔の内径を共振器孔の内径と略同じにして、誘電体デュプレクサを形成する。
【００１９】
また、この発明は、前記誘電体デュプレクサを備えて、通信装置を構成する。
【００２０】
【発明の実施の形態】
第１の実施形態に係る誘電体デュプレクサの構成について、図１〜図３を参照して説明する。
図１は誘電体デュプレクサの外観斜視図である。
図２は図１に示した誘電体デュプレクサの底面図および開放面側の正面図からなる二面図である。
図３は図１に示した誘電体デュプレクサの主な寸法を示した寸法図である。
【００２１】
図１、図２において、１は誘電体ブロック、２ａ〜２ｉは共振器孔、３ａ〜３ｉは内導体、４ａ〜４ｉは結合電極、５は外導体、６は入力電極、７は出力電極、８は共用電極、９ｅ〜９ｈは短絡用孔、１０ｅ〜１０ｈは短絡導体である。
また、図３において、Ｌ１は誘電体ブロック１における共振器孔２ａ〜２ｉの軸方向に平行な長さ、Ｌ２は誘電体ブロック１における結合電極４ａ〜４ｉを有する開口面から、短絡用孔４ｅ〜４ｈの軸と共振器孔２ｅ〜２ｈの軸とが交差する点までの長さ、Ｗは誘電体ブロック１の幅、Ｄは誘電体ブロック１の厚み、φａは共振器孔２ａ〜２ｉの内径、φｂは短絡用孔４ｅ〜４ｈの内径である。
【００２２】
略直方体形状の誘電体ブロック１の内部に、誘電体ブロック１の或一面からこれに対向する面にかけて貫通し、内面に内導体３ａ〜３ｉをそれぞれ形成した共振器孔２ａ〜２ｉを形成している。これら共振器孔２ａ〜２ｉの一方の開口面には、内導体３ａ〜３ｉのそれぞれに導通する結合電極４ａ〜４ｉを形成している。
【００２３】
誘電体ブロック１の外面には、結合電極４ａ〜４ｉを形成した面を除く五面の略全面に外導体５を形成している。また、誘電体ブロック１の実装面となる底面（図１における上面）から、外導体５を形成していない共振器孔２ａ〜２ｉの開口面（図１における左手前面）にかけて入力電極６、出力電極７、および共用電極８を形成している。ここで、入力電極６が内導体３ａ，３ｂに、出力電極７が内導体３ｈ，３ｉに、共用電極８が内導体３ｄ，３ｅに、それぞれ結合するように形成している。
【００２４】
また、誘電体ブロック１の底面から天面にかけての厚さ方向に、内面に短絡導体１０ｅ〜１０ｈを設けた短絡用孔９ｅ〜９ｈを形成している。短絡用孔９ｅ〜９ｈは共振器孔２ｅ〜２ｈをそれぞれ垂直に貫いている。よって、短絡用孔９ｅ〜９ｈに設けられた短絡導体１０ｅ〜１０ｈにより、それぞれ内導体３ｅ〜３ｈと外導体５とが導通されている。また、短絡用孔９ｅ〜９ｈは、誘電体ブロック１における、内導体３ａ〜３ｉが外導体５に導通する開口面から所定距離（図３におけるＬ１−Ｌ２）だけ離れた位置に形成している。
【００２５】
誘電体ブロック１における共振器孔２ａ〜２ｉの軸方向の長さＬ１を、伝送信号の１／４波長（λ1 ／４）とすることにより、各共振器孔２ａ〜２ｄ，２ｉは、結合電極４ａ〜４ｄ，４ｉを形成した開口面を開放面とし、他方の開口面を短絡面とするλ／４共振器をそれぞれ構成している。
【００２６】
また、共振器孔２ｅ〜２ｈは、短絡導体１０ｅ〜１０ｈにより、開放面からＬ２の長さの位置で短絡しており、この部分を短絡端とする、λ1 ／４とは異なる１／４波長（λ2 ／４）の共振器をそれぞれ構成している。
【００２７】
このような構造により、共振器孔２ａ〜２ｄと入力電極６と共用電極８とから、共振器孔２ａによるトラップ共振器を備えた３段の誘電体フィルタを構成している。また、共振器孔２ｅ〜２ｉと出力電極７と共用電極８とから、共振器孔２ｉによるトラップ共振器を備えた４段の誘電体フィルタを構成している。共振器孔２ｅ〜２ｈは、共振器孔２ｂ〜２ｄと比較して軸長が短いため、共振周波数が高くなる。よって、共振器孔２ｅ〜２ｈによる誘電体フィルタは、共振器孔２ｂ〜２ｄによる誘電体フィルタよりも通過帯域が高周波数側にシフトする。
【００２８】
この二つのフィルタより、誘電体デュプレクサを構成する。ここで、携帯電話等のように、受信側フィルタの通過帯域の周波数が、送信側フィルタの通過帯域の周波数よりも高い場合は、前述の前者のフィルタを送信側フィルタとし、後者のフィルタを受信側フィルタとすればよい。
【００２９】
例えば、図３に示した誘電体デュプレクサの各寸法を、Ｌ１＝５．５ｍｍ，Ｌ２＝５．０ｍｍ，Ｗ＝２３．０ｍｍ，Ｄ＝４．０ｍｍ，φａ＝１．２ｍｍ，φｂ＝０．３ｍｍとし、誘電体ブロックの比誘電率を４７として、２ＧＨｚ帯の誘電体デュプレクサを形成する。このように形成することにより、送信側フィルタにおける通過帯域の中心周波数は１．９５ＧＨｚとなり、受信側フィルタにおける通過帯域の中心周波数は２．１１ＧＨｚとすることができる。
【００３０】
このような構造とすることにより、簡素な構造でありながら、送信側フィルタの通過帯域の周波数と受信側フィルタの通過帯域の周波数とを容易に異ならせた、一体型の誘電体デュプレクサを構成することができる。
【００３１】
なお、前述の実施形態では、それぞれの短絡用孔の形成位置は、開放面からの距離がすべて同じであるが、所望の共振周波数を得るために、短絡用孔を共振器孔の軸方向にずらして形成してもよい。
【００３２】
また、短絡用孔の内面に短絡導体を形成した構造に限らず、短絡用孔の内側全体に短絡導体となる導電材料を埋め込んだものであってもよい。
【００３３】
また、短絡用孔は、誘電体ブロック形成時に金型等で同時に設けてもよく、誘電体ブロック完成後に形成してもよい。
【００３４】
また、トラップ共振器用の共振器孔について、同様に短絡用孔を設けてもよい。
【００３５】
また、トラップ共振器用の共振器孔を設けていない誘電体デュプレクサについても、同様の効果を得ることができる。
【００３６】
次に、第２の実施形態に係る誘電体デュプレクサの構成について、図４を参照して説明する。
図４の（ａ）は誘電体デュプレクサの外観斜視図であり、（ｂ）はその開放面側の正面図である。
図４において、１は誘電体ブロック、２ａ〜２ｉは共振器孔、３ａ〜３ｉは内導体、４ａ〜４ｉは結合電極、５は外導体、６は入力電極、７は出力電極、８は共用電極、９ｅ〜９ｈは短絡用孔、１０ｅ〜１０ｈは短絡導体である。
【００３７】
図４に示す誘電体デュプレクサは、短絡用孔９ｅ〜９ｈを誘電体ブロック１の底面から共振器孔２ｅ〜２ｈまで設けたものであり、他の構成は、第１の実施形態に示した誘電体デュプレクサと同じである。
【００３８】
このような構造であっても、第１の実施形態と同様に、簡素な構造でありながら、送信側フィルタの通過帯域の周波数と受信側フィルタの通過帯域の周波数とを容易に異ならせた、一体型の誘電体デュプレクサを構成することができる。
【００３９】
次に、第３の実施形態に係る誘電体デュプレクサの構成について、図５を参照して説明する。
図５は誘電体デュプレクサの外観斜視図である。
図５において、１は誘電体ブロック、２ａ〜２ｉは共振器孔、３ａ〜３ｉは内導体、４ａ〜４ｉは結合電極、５は外導体、６は入力電極、７は出力電極、８は共用電極、９ｅ，９ｆは短絡用孔、１０ｅ，１０ｆは短絡導体である。
【００４０】
図５に示す誘電体デュプレクサでは、共振器孔２ｅ，２ｆの内面に設けられた内導体３ｅ，３ｆと外導体５とを導通する短絡導体１０ｅ，１０ｆを、短絡用孔９ｅ，９ｆにのみ形成している。その他の構成は、第１の実施形態に示した誘電体デュプレクサと同じである。
【００４１】
このような構成とすることにより、第１の実施形態に示したように、容易に誘電体デュプレクサを構成することができる。
【００４２】
なお、送信側フィルタと受信側フィルタの通過帯域の中心周波数が近接しており、受信側フィルタを構成する共振器のうち一部の共振器のみの共振周波数を高くしなければならない場合がある、このような場合にも、前述の構成を用いることにより、一部の共振器のみの共振周波数を容易に高くして、調整することができる。
【００４３】
次に、第４の実施形態に係る誘電体デュプレクサの構成について、図６を参照して説明する。
図６は誘電体デュプレクサの外観斜視図である。
図６において、１は誘電体ブロック、２ａ〜２ｉは共振器孔、３ａ〜３ｉは内導体、４ａ〜４ｉは結合電極、５は外導体、６は入力電極、７は出力電極、８は共用電極、９ｂ〜９ｈは短絡用孔、１０ｂ〜１０ｈは短絡導体である。
【００４４】
図６に示す誘電体デュプレクサでは、共振器孔２ｂ〜２ｈの内面にそれぞれ設けられた内導体３ｂ〜３ｈと外導体５とを導通する短絡導体１０ｂ〜１０ｈを、短絡用孔９ｂ〜９ｈに形成している。その他の構成は第１の実施形態に示した誘電体デュプレクサと同じである。すなわち、送信側フィルタ、受信側フィルタともに、短絡導体により各共振器の短絡端を構成したものである。
【００４５】
このような構成とすることにより、誘電体ブロックの外形寸法が予め設定されていても、短絡用孔の形成位置を調整することにより、所望の共振周波数を得ることができる。また、一つの外形形状を用いて、短絡用孔の形成位置により、異なる共振周波数を得ることができるため、一種類の誘電体ブロックで複数種類の誘電体デュプレクサを形成することができる。
【００４６】
次に、第５の実施形態に係る誘電体デュプレクサの構成について、図７を参照して説明する。
図７の（ａ）は誘電体デュプレクサの外観斜視図、（ｂ）は共振器孔の開放面側からみた正面図である。
図７において、１は誘電体ブロック、２ａ〜２ｉは共振器孔、３ａ〜３ｉは内導体、４ａ〜４ｉは結合電極、５は外導体、６は入力電極、７は出力電極、８は共用電極、９ｅ〜９ｈは短絡用孔、１０ｅ〜１０ｈは短絡導体である。
図７に示す誘電体デュプレクサは、短絡用孔９ｅ〜９ｈの内径φｂが共振器孔２ａ〜２ｉの内径φａと略同じ構造であり、他の構成は図１に示した誘電体デュプレクサと同じである。
【００４７】
このような構造とすることにより、短絡用孔により発生するインダクタンス成分を小さくすることができ、高精度に共振周波数を設定することができる。
【００４８】
次に、第６の実施形態に係る誘電体デュプレクサの構成について、図８、図９を参照して説明する。
図８は誘電体デュプレクサの外観斜視図であり、図９は図８に示した誘電体デュプレクサの二面図である。
【００４９】
図８において、１は誘電体ブロック、２ａ〜２ｉは共振器孔、３ａ〜３ｉは内導体、４ａ〜４ｉは結合電極、５は外導体、６は入力電極、７は出力電極、８は共用電極、９ｅ，９ｆは短絡用孔、１０ｅ，１０ｆは短絡導体、１１ａ〜１１ｉは内導体非形成部、１２は内面電極を備えた励振孔である。
【００５０】
略直方体形状の誘電体ブロック１の内部に、誘電体ブロック１の或一面からこれに対向する面にかけて貫通し、内面に内導体３ａ〜３ｉをそれぞれ形成した共振器孔２ａ〜２ｉを、途中で内径の異なるステップ孔として設けている。これら共振器孔２ａ〜２ｉの一方の開口面付近には内導体非形成部１１ａ〜１１ｉをそれぞれ設けている。また、誘電体ブロック１の内部には、共振器孔２ａ〜２ｉと軸方向を同じくする複数の励振孔１２を、それぞれ、共振器孔２ａ，２ｂの間と、共振器孔２ｄ，２ｅの間と、共振器孔２ｈ，２ｉの間に形成している。これら励振孔１２は、その内側に内面電極を形成している。
【００５１】
誘電体ブロック１の外面には、略全面に外導体５を形成し、誘電体ブロック１の実装面となる底面（図８における上面）から、共振器孔２ａ〜２ｉの内導体非形成部１１ａ〜１１ｉを設けていない側の開口面（図１における右奥面）にかけて入力電極６、出力電極７、および共用電極８を形成している。また、入力電極６、出力電極７，共用電極８は、ぞれぞれ異なる励振孔１２の内面電極に導通している。
【００５２】
誘電体ブロック１の底面から天面にかけての厚さ方向に、内面に短絡導体１０ｅ，１０ｆが形成された短絡用孔９ｅ，９ｆを設けている。短絡用孔９ｅ，９ｆは共振器孔２ｅ，２ｆをそれぞれ垂直に貫いている。よって、短絡用孔９ｅ，９ｆに設けられた短絡導体１０ｅ，１０ｆにより、それぞれ内導体３ｅ，３ｆと外導体５とが導通している。また、短絡用孔９ｅ，９ｈは、誘電体ブロック１における、内導体非形成部１１ａ〜１１ｉが設けられていない側の開口面から所定の距離だけ奥まった位置に形成している。
【００５３】
このような構造により、各共振器孔２ａ〜２ｄ，２ｇ〜２ｉは、内導体非形成部１１ａ〜１１ｄ，１１ｇ〜１１ｉをそれぞれ開放端とし、他方の開口面を短絡端とするλ／４共振器をそれぞれ構成している。
【００５４】
また、共振器孔２ｅ，２ｆは、短絡導体１０ｅ，１０ｆにより、内導体非形成部１１ｅ，１１ｆを開放端とし、内導体３ｅ，３ｆが短絡導体１０ｅ，１０ｆに導通する部分を短絡端とする、λ／４共振器をそれぞれ構成している。
【００５５】
このように、共振器孔２ａ〜２ｄと入力電極６と共用電極８とから、共振器孔２ａによるトラップ共振器を備えた３段の誘電体フィルタを構成している。また、共振器孔２ｅ〜２ｉと出力電極７と共用電極８とから、共振器孔２ｉによるトラップ共振器を備えた４段の誘電体フィルタを構成している。共振器孔２ｅ，２ｆは、共振器孔２ｂ〜２ｄ，２ｇ，２ｈと比較して軸長が短いため、共振周波数が高くなる。よって、共振器孔２ｅ〜２ｈよりなる誘電体フィルタは、共振器孔２ｂ〜２ｄよりなる誘電体フィルタよりも通過帯域が高周波数側にシフトする。この前者の誘電体フィルタを送信側フィルタとし、後者の誘電体フィルタを受信側フィルタとすることにより、誘電体デュプレクサを構成する。
【００５６】
このような、誘電体ブロックの内部に内導体非形成部を設けて開放端を構成する誘電体デュプレクサについても、第１の実施形態に示した誘電体デュプレクサと同様の効果を得ることができる。
【００５７】
また、内径を変化させることなく、またステップ比を変更することなく、共振周波数を設定することができるので、最適な孔径を維持したままでフィルタを構成することができ、低挿入損失の誘電体デュプレクサを構成することができる。
【００５８】
なお、共振器孔をステップ孔構造とし、共振器孔の一方の開口面に外導体を形成しない構造、すなわち、図１に示した誘電体デュプレクサにおいて、共振器孔をステップ孔構造とし、結合電極を形成しないものについても、前述のように短絡導体の効果を得ることができる。
【００５９】
また、前述の実施形態では、誘電体ブロックを略直方体形状に形成しているが、部分的に凹部のある形状の誘電体ブロックであってもよい。
【００６０】
次に、第７の実施形態に係る通信装置について、図１０を参照して、説明する。
図１０は通信装置のブロック図である。
図１０において、ＡＮＴは送受信アンテナ、ＤＰＸはデュプレクサ、ＢＰＦａ，ＢＰＦｂはそれぞれ帯域通過フィルタ、ＡＭＰａ，ＡＭＰｂはそれぞれ増幅回路、ＭＩＸａ，ＭＩＸｂはそれぞれミキサ、ＯＳＣは発振器、ＳＹＮはシンセサイザである。ＭＩＸａはＳＹＮから出力される周波数信号をＩＦ信号で変調し、ＢＰＦａは送信周波数の帯域のみを通過させ、ＡＭＰａはこれを電力増幅してＤＰＸを介しＡＮＴより送信する。ＡＭＰｂはＤＰＸから出力される信号を増幅し、ＢＰＦｂはＡＭＰｂから出力される信号のうち受信周波数帯域のみを通過させる。ＭＩＸｂはＳＹＮより出力される周波数信号と受信信号とをミキシングして中間周波信号ＩＦを出力する。
【００６１】
図１０に示したデュプレクサＤＰＸに、図１、図４〜図８に示した誘電体デュプレクサを用いることができる。このようにして、構造が簡素で、特性の優れた誘電体デュプレクサを用いることにより、優れた通信特性を有する小型の通信装置を構成することができる。
【００６２】
【発明の効果】
この発明によれば、入力電極と共用電極と複数の共振器のうち所定の共振器とからなる送信側フィルタと、出力電極と共用電極と複数の共振器のうち所定の共振器とからなる受信側フィルタとで、単体の誘電体ブロックに誘電体デュプレクサを形成し、複数の共振器の少なくとも一つに、共振器内の所定位置で共振器孔の内面に形成された内導体と誘電体ブロックの外面に形成された外導体とを導通させる短絡導体を設けたことにより、フィルタを構成する共振器の共振周波数を高周波数側にシフトさせることができ、一体型の誘電体デュプレクサを構成する、二つのフィルタの通過帯域の周波数を異ならせることができる。よって、必要な共振周波数を得るために誘電体ブロック全体が小さくなりすぎることがなく、結合電極の面積の確保が容易となる。また、ステップ構造の共振器孔を設ける場合に、短絡面側の内径が小さくなり過ぎることがなく、共振器孔の成形が容易となり、且つ必要なステップ比が得られるため、最適な高いＱｏが得られる。
【００６３】
また、この発明によれば、一方のフィルタのみに短絡導体を形成することにより、同形状の共振器孔を有しながら、異なる通過帯域の周波数を備える二つのフィルタを容易に設けることができる。
【００６４】
また、この発明によれば、短絡導体を、誘電体ブロックに設けられた、少なくとも共振器孔にまで達する短絡用孔の内面に形成することにより、誘電体ブロック内への短絡導体の配置が容易となる。
【００６５】
またこの発明によれば、短絡用孔の内径を共振器孔の内径と略同じにして、誘電体デュプレクサを形成することにより、短絡導体の接続部におけるインダクタンス値を抑制することができ、優れた特性の誘電体デュプレクサを構成することができる。
【００６６】
また、この発明によれば、誘電体ブロックを略直方体形状とすることにより、誘電体ブロックの成形金型の製造が容易となり、さらに、誘電体デュプレクサの回路基板への表面実装も容易となる。
【００６７】
また、この発明によれば、低挿入損失で低コストな前記誘電体デュプレクサを備えることにより、優れた通信性能を有する低コストな通信装置を構成することができる。
【図面の簡単な説明】
【図１】第１の実施形態に係る誘電体デュプレクサの外観斜視図
【図２】第１の実施形態に係る誘電体デュプレクサの二面図
【図３】第１の実施形態に係る誘電体デュプレクサの寸法図
【図４】第２の実施形態に係る誘電体デュプレクサの外観斜視図および正面図
【図５】第３の実施形態に係る誘電体デュプレクサの外観斜視図
【図６】第４の実施形態に係る誘電体デュプレクサの外観斜視図
【図７】第５の実施形態に係る誘電体デュプレクサの外観斜視図および正面図
【図８】第６の実施形態に係る誘電体デュプレクサの外観斜視図
【図９】第６の実施形態に係る誘電体デュプレクサの二面図
【図１０】第７の実施形態に係る通信装置のブロック図
【図１１】誘電体フィルタのＱｏと共振器孔の内径との関係を表した特性図
【符号の説明】
１−誘電体ブロック
２ａ〜２ｉ−共振器孔
３ａ〜３ｉ−内導体
４ａ〜４ｉ−結合電極
５−外導体
６−入力電極
７−出力電極
８−共用電極
９ｂ〜９ｈ−短絡用孔
１０ｂ〜１０ｈ−短絡導体
１１ａ〜１１ｉ−内導体非形成部
１２−励振孔
【図１】
0003809801.tif 000002
【図２】
0003809801.tif 000003
【図３】
0003809801.tif 000004
【図４】
0003809801.tif 000005
【図５】
0003809801.tif 000006
【図６】
0003809801.tif 000007
【図７】
0003809801.tif 000008
【図８】
0003809801.tif 000009
【図９】
0003809801.tif 000010
【図１０】
0003809801.tif 000011
【図１１】
0003809801.tif 000012